(57)【要約】【課題】重い計測装置を簡易に持ち運ぶことが出来、計測時にも計測装置に収納した状態のままで計測することが出来る。【解決手段】伸縮自在な取手とキャスターを具備する鞄において、その底面、上面、あるいは側面に５〜３０個の小孔を設け、その上に、一定の隙間を開けてカバーが取り付けられるようにし、鞄の側面に架台取付用の金具を設ける。【選択図】図１
2008061756.tif 000002
【特許請求の範囲】
【請求項１】
伸縮自在な取手とキャスターを具備し、その内部に計測装置が取り付けられて内蔵されている鞄において、その伸縮自在取手のある上面、キャスターのある底面、あるいはその他の側面に５〜３０個の小孔を設けたことを特徴とする計測装置内蔵鞄。
【請求項２】
請求項1の計測装置内蔵鞄において、前記小孔が、内蔵された計測装置の熱放出用手段と対面する位置に設けられたことを特徴とする計測装置内蔵鞄。
【請求項３】
請求項２記載の計測装置内蔵鞄において、前記小孔の設けられた箇所の上に、所定の間隔を置いて固定式、半固定式あるいは着脱可能式のカバーが設けられ、かつ、鞄の上蓋が取り外し自在となっていることを特徴とする計測装置内蔵鞄。
【請求項４】
請求項３記載の計測装置内蔵鞄において、鞄の側面に架台取付用の留め具が設けられたことを特徴とする計測装置内蔵鞄。
【発明の詳細な説明】
【技術分野】
【０００１】
本発明は、大気中に浮遊する粒子の計測装置を収納し、運搬するための計測装置内蔵鞄に関するものである。
【背景技術】
【０００２】
近時、建築物の解体時や自動車のブレーキなどから大気中にアスベスト粒子が飛散することによる健康被害などが問題とされ、大気中に浮遊する粒子の計測が盛んに行われるようになった。
現在、大気中の粒子濃度を計測するには、空気をろ過して粒子を捕集したフィルターを位相差顕微鏡で見て粒子数を数える方法（ＰＣＭ法）が主として採用されている。しかし、この方法では計測結果が出るまでに、かなりの日数がかかる。
【０００３】
その他に、空気中の浮遊粒子にレーザ光線を照射し、その散乱光を検出し、さらに後方散乱に近い散乱角度でレーザ光線を照射することにより、散乱光の偏光から粒子形状を特定する原理を利用することによって、リアルタイムでアスベスト粒子濃度が計測できる装置がある。
【特許文献１】特許第２８８１７３１号公報
【発明の開示】
【発明が解決しようとする課題】
【０００４】
このレーザ光線を照射するタイプの計測器は、かなり小型化され、手で持ち運べるハンディタイプとなっている。しかし、アスベストを計測する場所は、自動車が直ぐ近くまで入らないようなところが多く、上記の計測器はハンディタイプといっても重さが１０〜１５ｋｇあるため、計測現場まで運ぶのが大変であった。
そこで、本発明は大気中の粒子計測用の計測装置を手軽に持ち運ぶことができ、また計測結果や耐久性能に悪影響を与えることのない計測装置内蔵鞄を提供することを目的とする。
【課題を解決するための手段】
【０００５】
本発明は、上記課題を解決するため、伸縮自在な取手とキャスターを具備し、その内部に計測装置が取り付けられて内蔵されている鞄において、その伸縮自在取手のある上面、キャスターのある底面、あるいはその他の側面に５〜３０個の小孔を設けたもの、その小孔が内蔵された計測装置の熱放出用手段と対面する位置に設けられもの、その小孔の設けられた箇所の上に所定の間隔を置いて固定式、半固定式あるいは着脱可能式のカバーが設けられたもの、及び、それに加え、鞄の上蓋が取り外し自在となっており鞄の側面に架台取付用の留め具が設けられたものを採用した。
【発明の効果】
【０００６】
本発明の計測装置内蔵鞄には、その底部に２個のキャスターと２個の固定具がついており、上部の取手が伸縮自在になっているので、当該鞄のキャスターを地面につけ、屋外の道路上を転がしながら移動できる。また、本発明に係る計測装置内蔵鞄には、上部と底部の鞄の壁面に相当数の孔が開けられており、計測時に発生する計測装置からの熱を鞄の外に逃がすことができるようになっており、計測結果や計測装置の耐久性に悪影響を与えない。さらに、本発明の計測装置内蔵鞄には、計測装置を水平に置いた状態の周囲に四つの留め具が設けられており、架台の上に鞄を載せて固定することにより床面から一定の高さに計測装置を設置して計測を行うことが可能となる。
【発明を実施するための最良の形態】
【０００７】
以下、本発明の実施例を図面に基づいて説明する。第1図から第4図は第１実施例に関するものである。
図１は、大気中の浮遊微粒子計測装置１０を内蔵した本発明の第１実施例において、上蓋３１を開け、計測の準備状態を示す斜視図である。計測装置１０は単に鞄３０内に設置されているだけでなく、ネジ、ボルト等によって鞄に固定されている。
なお、鞄３０を閉じた状態で鞄には６個の面があるが、上蓋３１以外の５個の面を以下のように呼ぶこととする。
上面：伸縮自在取手３２がついている面
底面：キャスター３８が付いている面
側面：取手３４が付いている面及びその面と対向する面
背面：上蓋３１と対向する面
【０００８】
鞄３０は市販の鞄でもよいが、計測装置の形状に合わせて上面と側面、底面と側面のコーナーの曲率半径をできるだけ小さくしたものが望ましい。また、相当重量のある計測装置が内蔵されるため、取手３３、３４はプラスチック製ではなくアルミなどの金属製のものが強度上望ましい。
鞄３０には通常の取手３３、３４の他に伸縮自在の引き出し式の取手３２（キャリーハンドル）が取り付けられており、旅行用鞄と同様に伸縮自在取手３２を伸ばして手に持ち、鞄３０をやや斜めに立てた状態とし、キャスター３８を地面につけて移動すれば、手にはほとんど力がかからず鞄を移動できる。
【０００９】
図１は上蓋３１を開けた状態を示しているが、実際に計測を行うには上蓋３１を取り外して空気の取入れに障害にならないようにするのが望ましい。
図２は上蓋３１が鞄本体から取り外し可能となっていることを示す図である。
【００１０】
図３Ａ、３Ｂは鞄３０の上面と底面に設けられた熱放出用の孔とカバー並びに底部のキャスター３８と固定具３９の形状を示す図である。
図３Ａに示すように、鞄３０の底面には、２個のキャスター３８と２個の固定具３９が設けられている。計測装置を内蔵した状態で、鞄３０は、相当の重量となるため、坂道で停止した際、キャスター３８がついているだけでは、その位置に停めておくことは難しい。したがって固定具３９を設けて坂道でもその停止位置に安定的に停止できるようにした。
【００１１】
計測装置は鞄に内蔵されており、計測中には計測装置内部から熱が発生する。ところが、市販のものも含め、一般の鞄は密閉状態を保つようになっているため、このような鞄をそのまま用いると、計測中に熱が計測装置内部にこもり、計測結果、計器の寿命に悪影響を与える。
そこで、本実施例においては、図３Ａのキャスター３８と固定具３９の間の鞄の壁面に直径６ｍｍの小孔３５Ａを縦に５列、横に５列の合計２５個設けた。また、この小孔３５Ａの配置は、中心に１個、その中心から２つの同心円状にそれぞれ４個、８個（合計１３個、最大の同心円の直径は６０〜８０ｍｍ程度）としてもよい。
なお、小孔の直径は４〜８ｍｍ程度であればよく、小孔の配置もマス目状、同心円状に限る必要はなく、多角形状など様々な形状にしてもよい。そして、その小孔３５Ａが開いている箇所に鞄の底面から５ｍｍの間隔を空けて、カバー３５Ｂが鞄の底面にネジで取り付けられている。
なお小孔を設ける箇所は計測装置に内蔵されている送風ファンなどの熱放出用手段が存在する箇所と一致するのが望ましい。
【００１２】
図３Ｂには、鞄３０の上面の取手３３の左側に上述した鞄３０の底面と同様に多数の小孔３５Ａとカバー３５Ｂが設けられていることが示されている。
【００１３】
図４Ａ、Ｂは、熱放出用の小孔とカバーの形状を説明する図である。このカバー３５Ｂは、本実施例の計測器内蔵鞄を戸外で持ち運ぶ際、雨、地面の水たまり、あるいはゴミなどから水や異物が小孔３５Ａを通って計測装置内部に侵入するのを防止するためのものである。
図４Ａ，Ｂに示すカバー３５Ｂは固定式であるが、図５Ａ、Ｂに示すようにネジでカバー３５Ｃが外側に開放できるタイプのもの（第２実施例）や、第３実施例の図５Ｃ、Ｄに示すようにカバー３５Ｄが取り外し可能になるようなもの（第３実施例）でもよい。３５Ｃ、Ｄのようにカバーを外側に開放したり、取り外したり出来るタイプのものは、室内における計測時に小孔３５Ａからカバー３５Ｃ、Ｄを遠ざけることができるので、熱の放出効果が高まる。
【００１４】
図６には第４実施例として、鞄３０の側面４箇所に留め具３６Ａ、Ｂ、３７Ａ、Ｂが設けられたものが示されている。図７Ａは、折りたたみ式の架台２０を示すが、この架台は２本の渡し部２１が、回動可能に組み合わされた４本の脚部２２に支持されており、安定補強具２４を脚部２２の突起に係止することにより、図７Ｂに示す架台３０として重量物を支えることができる。このときの架台３０の渡し部２１上面までの高さは、７０ｃｍである。
渡し部２１には４個の固定バンド２３が取り付けてあり、この固定バンド２３を留め具３６Ａ、Ｂ、３７Ａ、Ｂに通して締めることにより、図７Ｂに示すように実施例の計測装置内蔵鞄を架台３０に載せ、その上にしっかりと固定することができる。
図１に示す鞄３０の背面から計測装置上面までの距離は３８ｃｍであり、空気を採取するフィルター１２のチューブの長さが４０ｃｍであるので、架台を設置した床上１１０〜１５０ｃｍ間での計測が可能である。
【図面の簡単な説明】
【００１５】
【図１】本発明の第１実施例の計測装置内蔵鞄において、上蓋を開け計測の準備をしている状態を示す斜視図
【図２】本発明の第１実施例の計測装置内蔵鞄の上蓋が取り外し可能となっていることを示す斜視図
【図３Ａ】本発明の第１実施例の計測装置内蔵鞄を底方向から見た斜視図
【図３Ｂ】本発明の第１実施例の計測装置内蔵鞄の上面図
【図４Ａ】本発明の第１実施例の計測装置内蔵鞄の底面図
【図４Ｂ】図４AのA−A矢視部拡大断面図
【図５Ａ】本発明の第２実施例の計測装置内蔵鞄の底面図
【図５Ｂ】図５Aのカバー部分の拡大断面図
【図５Ｃ】本発明の第３実施例の計測装置内蔵鞄の底面図
【図５Ｄ】図５Ｃのカバー部分の拡大斜視図
【図６】本発明の第４実施例の計測装置内蔵鞄の側面に留め具が取り付けられた状態を示す斜視図
【図７Ａ】本発明の第４実施例の計測装置内蔵鞄を載せる折りたたみ架台を示す斜視図
【図７Ｂ】図７Aに示す架台に本発明の実施例の計測装置内蔵鞄を載せて計測の準備をしている状態を示す斜視図
【符号の説明】
【００１６】
１０    計測装置
１１    表示パネル
１２    フィルター
１３    流量計
２０    測定架台
２１    渡し部
２２    脚部
２３    固定バンド
２４    安定補強具
３０    鞄
３１    上蓋
３２    伸縮自在取手
３３    取手（上面）
３４    取手（側面）
３５Ａ  小孔
３５Ｂ  カバー（固定式）
３５Ｃ  カバー（開閉式）
３５Ｄ  カバー（着脱可能式）
３６Ａ、B   留め具
３７Ａ、B   留め具
３８    キャスター
３９    固定具
【図１】
2008061756.tif 000003
【図２】
2008061756.tif 000004
【図３Ａ】
2008061756.tif 000005
【図３Ｂ】
2008061756.tif 000006
【図４Ａ】
2008061756.tif 000007
【図４Ｂ】
2008061756.tif 000008
【図５Ａ】
2008061756.tif 000009
【図５Ｂ】
2008061756.tif 000010
【図５Ｃ】
2008061756.tif 000011
【図５Ｄ】
2008061756.tif 000012
【図６】
2008061756.tif 000013
【図７Ａ】
2008061756.tif 000014
【図７Ｂ】
2008061756.tif 000015